(57)【特許請求の範囲】
【請求項１】
支柱に貫通された透孔に挿通される支持体と、その支柱の外側に被嵌される打ち込み具本体とからなり、打ち込み具本体の下端には上記支持体に嵌合される切り欠き部が形成され、打ち込み具本体の上端は上記支柱より上方に突出されるとともに打撃部が形成された柵用支柱打ち込み具。
【請求項２】
支持体が挿通される支柱の透孔が、その支柱の埋設部分に貫通されてなる請求項１記載の柵用支柱打ち込み具。
【請求項３】
支柱上端と打ち込み具本体の打撃部底面との間に間隙が設けられてなる請求項１または２記載の柵用支柱打ち込み具。
【請求項４】
打ち込み具本体の下端切り欠き部に、その切り欠き部と同形状の切り欠き部を有する補強片が装着されてなる請求項１、２または３記載の柵用支柱打ち込み具。
【請求項５】
支柱側壁に水平方向に貫通された複数の透孔に挿通される複数の支持体と、支柱の上方で支柱上端より上方に位置する打撃部とが垂直方向の支軸で接続一体化され打ち込み具本体となされ、支柱の透孔に挿通された支持体の先端と打撃部とに補強体が着脱自在に接続されてなる柵用支柱打ち込み具。
【発明の詳細な説明】
【０００１】
【発明の属する技術分野】
本発明は道路、公園、農場等で使用される各種柵の支柱を地面に建植するのに使用される柵用支柱打ち込み具に関する。
【０００２】
【従来の技術】
従来、例えば特開２０００−１１０１２７号公報に、防護柵支柱に上端を叩打部となされた保護筒が嵌挿され、防護柵支柱と保護筒とが連結ピンで固定され、保護筒の叩打部を建設機械により打ち込むようになされた防護柵支柱用打込保護具が開示されている。
【０００３】
しかし、かかる防護柵支柱用打込保護具は防護柵支柱と保護筒とを連結ピンで固定しなければならず、防護柵支柱のピン挿通穴と保護筒のピン挿通穴とを位置合わせして連結ピンを挿通してナットで締め付けるため、防護柵支柱と保護筒との組み立てが煩雑であるとともに、この防護柵支柱の打ち込みが完了した際にはナットを緩め、連結ピンを抜き取った後、保護筒を防護柵支柱から取り外さねばならず、解体のためにも煩雑な作業が必要であるという欠点がある。
【０００４】
【発明が解決しようとする課題】
本発明は、かかる従来の欠点に鑑みなされたものである。
【０００５】
【課題を解決するための手段】
上記課題を解決するため本発明柵用支柱打ち込み具は、支柱に貫通された透孔に挿通される支持体と、その支柱の外側に被嵌される打ち込み具本体とからなり、打ち込み具本体の下端には上記支持体に嵌合される切り欠き部が形成され、打ち込み具本体の上端は上記支柱より上方に突出されるとともに打撃部が形成されたものである。
【０００６】
本発明によれば、支柱に穿設されている柵体取付用のボルト孔等を利用して支持体を挿通し、支柱に被嵌された打ち込み具本体の下端切り欠き部を支持体に嵌合するだけで、支柱と打ち込み具本体とを容易に組み立てることができる。
【０００７】
また、本発明柵用支柱打ち込み具は、支持体が挿通される支柱の透孔が、その支柱の埋設部分に貫通されてなるものである。
【０００８】
本発明によれば、打ち込み後の支持体がそのまま根枷として利用することができる。
【０００９】
さらに、本発明柵用支柱打ち込み具は、支柱上端と打ち込み具本体の打撃部底面との間に間隙が設けられてなるものである。
【００１０】
本発明によれば、支柱上端に擬宝珠状の装飾等が施されたキャップが設けられていても、支柱の打ち込み時にそのキャップが損傷を受けることがない。
【００１１】
さらにまた、本発明柵用支柱打ち込み具は、打ち込み具本体の下端切り欠き部にその切り欠き部と同形状の切り欠き部を有する補強片が装着されてなるものである。
【００１２】
本発明によれば、打ち込み具本体の打ち込み時に下端切り欠き部の変形が生じがたいため、打ち込み具本体を長期間使用することができる。
【００１３】
そしてまた本発明柵用支柱打ち込み具は、支柱側壁に水平方向に貫通された複数の透孔に挿通される複数の支持体と、支柱の上方で支柱上端より上方に位置する打撃部とが垂直方向の支軸で接続一体化され打ち込み具本体となされ、支柱の透孔に挿通された支持体の先端と打撃部とに補強体が着脱自在に接続されてなるものである。
【００１４】
本発明によれば、複数の支持体と、打撃部とが垂直方向の支軸で接続一体化されてなる打ち込み具本体の、上記複数の支持体が支柱に穿設されている柵体取付用の透孔に挿通され、挿通された支持体の先端と打撃部とに補強体が着脱自在に固定されるので保護筒が不要となって、支柱と打ち込み具との組み立てを容易に行うことができる。
【００１５】
【発明の実施の形態】
以下、本発明柵用支柱打ち込み具の実施形態の例について、図１〜４、および図５〜７を参照しながら説明する。
【００１６】
本発明柵用支柱打ち込み具の第一の実施形態の例を表す図１〜図４において、１は本発明で打ち込まれる柵用支柱である。この柵用支柱１は鋼管、合成樹脂被覆鋼管等にて作製された支柱本体１１の上端に適宜形状のキャップ１２が設けられ、かつ支柱本体１１の側壁には柵体を取り付けるための透孔１３や根枷用透孔１３´が水平方向に貫通されている。なお、支柱本体１１の下端部に円錐形等の栓体１４が設けられていてもよいし、栓体１４の外壁に垂直方向の板体や環状の板体等の倒れ防止体１５が設けられていてもよい。
【００１７】
２は支持体である。この支持体２は鋼管、鋼棒等からなり、柵用支柱１の透孔１３や根枷用透孔１３´に挿通されるもので、両端が上記透孔１３、１３´より突出されて用いられる。
【００１８】
３は打ち込み具本体である。この打ち込み具本体３は上記柵用支柱１の外側に被嵌される内径を有する鋼管製となされ、その下端には上記支持体２に嵌合される切り欠き部３１が打ち込み具本体３の直径方向の両側に形成されている。この切り欠き部３１の形状としては、支持体２の直径より僅かに大径の半円形ないし逆Ｕ字形となされている。また打ち込み具本体３の上端は上記支柱１より上方に突出されるとともに打撃部３２が形成されている。この打撃部３２は打ち込み具本体３と一体化されていてもよいが、着脱自在に嵌合されていてもよい。さらに切り欠き部３１の外壁に鋼材製の補強片３３が溶接等により装着されてもよい。そして、この補強片３３は打ち込み具本体３の両側の切り欠き部３１ごとに装着されてもよいが、打ち込み具本体３の下端外周を囲む円筒形状となされてもよく、この補強片３３の下端にも打ち込み具本体３の切り欠き部３１と同形状の切り欠き部３１´が形成されている。
【００１９】
【実施例】
柵用支柱１として、公園内の遊歩道柵の支柱を選んだ。支柱１は外径６０mm、厚さ３mm、長さ１．５ｍの鋼管製支柱本体１１の上端にくびれ部上部に直径６０mmφの球状の飾り付きキャップ１２が設けられ、また、その支柱本体１１には上端から１５０mmと１３０mm二箇所に直径１５mmの透孔１３が貫通されている。
【００２０】
支持体２は外径１２mmφ、長さ１００mmの鋼棒製で、支柱本体１１側面の透孔１３に挿通され、したがって透孔１３の両側からは支持体２の両端が２０mmずつ突出している。
【００２１】
打ち込み具本体３は内径９０mm、厚さ４mm、長さ５００mmの鋼管製で、打ち込み具本体３の下端から上方に向かって深さ３０mm、幅１５mm、底の形状が半円形となされる切り欠き部３１が直径方向の二箇所に形成されている。また、打ち込み具本体３の切り欠き部３１を支柱本体１１の透孔１３に挿通された支持体２に嵌合することにより、その打ち込み具本体３の上端は支柱１より上方に１００mm突出されることとなり、かつ打ち込み具本体３の上端に直径６０mm、厚さ５mmの打撃部３２がかぶせられ、本実施例では溶接により取着されている。
【００２２】
しかして、上記柵用支柱１を公園の遊歩道に沿った路肩に垂直に立て、打ち込み具本体３の打撃部３２を打ち込み槌により叩き、柵用支柱１の地上高が１．１ｍとなるように打ち込んだ。
打ち込み完了後、柵用支柱１から打ち込み具本体３をはずすとともに、支持体２をも抜き取り、さらにその後、支柱１の透孔１３を利用して金具をボルト止めしビームパイプを取り付けて遊歩道柵とした。
【００２３】
次に、本発明柵用支柱打ち込み具の第二の実施形態の例を表す図５〜７を参照しながら説明する。
図において、１は本発明で打ち込まれる柵用支柱である。柵用支柱１は、鋼管、合成樹脂被覆鋼管等にて作製された支柱本体１１の上端に適宜形状のキャップ１２が設けられ、かつ支柱本体１１の側壁には柵体を取り付けるために柵のビームが直接挿入される、（あるいはビーム固定用のボルト等を取り付けるための）透孔１３が水平方向に貫通されている。なお、支柱本体１１の下端部には円錐形等の栓体１４が設けられていてもよいし、栓体１４の外壁に垂直方向の板体や環状の板体等の倒れ防止体１５が設けられていてもよい。
【００２４】
４は打ち込み具本体である。打ち込み具本体４は上記柵用支柱１の透孔１３に挿通される支持体５と、この支持体５の上方に位置する打撃部６と、これら支持体５と打撃部６とを接続一体化する垂直方向の支軸７とからなる。
【００２５】
支持体５は鋼管、鋼棒等からなり、柵用支柱１の透孔１３に挿通されるものである。
【００２６】
打撃部６は鋼製の角棒、板体等からなり、機械ハンマーを用いた打撃力によって変形しない強度を有している。
【００２７】
支軸７は鋼製の棒体や板体、他鋼管等からなり、上記支持体５と打撃部６とを垂直方向に接続一体化するものであり、強度面からは溶接一体化されるのが好ましいが、この支軸７を支持体５の直径より幅広の鋼板とし、支持体５が挿通される透孔を穿設するとともに、打撃部６の底面には支軸５の上端が嵌合される凹部を設けて組立式としてもよい。
【００２８】
補強体８は支持体５の直径より幅広の鋼板や鋼管等からなり、支持体５が挿通される透孔８１が穿設される。また打撃部６の底面には、補強体８の上端が嵌合される凹部が設けられており、補強体８が支持体５の先端と打撃部６とに着脱自在に固定されるようになされている。
【００２９】
【実施例】
柵用支柱１として、公園内の遊歩道柵の支柱を選んだ。支柱１は外径６０mm、厚さ３mm、長さ１．５ｍの鋼管製の支柱本体１１の上端にくびれ部を介して直径６０mmの球状飾り付のキャップ１２が設けられている。また、支柱本体１１の上端から１５０mmと３００mm二箇所に直径４３mmの透孔１３が貫通されている。
【００３０】
打ち込み具本体４は、外径４３mm、厚さ４mm、長さ５００mmの鋼管製支持体５と、長さ５００mm、径９０mm、厚さ４mmの鋼管製打撃部６と、長さ６００mm、径６０mm、厚さ３mmの鋼管製支軸７とからなり、その支軸７に直径４５mmの支持体５用透孔が穿設され、打撃部６の底面には支軸７の上端が嵌合される凹部が設けられた。
【００３１】
補強体８は長さ６００mm、径６０mm、厚さ３mmの鋼管製であって、この補強体８に直径４５mmの支持体５用透孔が穿設され、打撃部６の底面には補強体８の上端が嵌合される凹部が設けらている。
【００３２】
しかして、上記柵用支柱１を公園の遊歩道に沿った路肩に垂直に立て、打ち込み具本体４の支持体５を柵用支柱１の透孔１３に挿通し、挿通された支持体５の先端に補強体８を挿通し、打ち込み具本体４の支軸７の上端と補強体８のそれぞれ上端を打撃部６底面の凹部に嵌合させた。
【００３３】
このように組み立てられた打ち込み具の打撃部６を打ち込み槌によって叩き、その打撃力が支軸７、補強体８を介して支持体５に伝えられ、さらに支持体５が支柱１の透孔１３の下縁に伝えられて柵用支柱１が地面に打ち込まれた。
そして、柵用支柱１が地上高が１．１ｍとなるように打ち込まれた後、柵用支柱１からまず打撃部４をはずし、次いで補強体８をはずし、最後に打ち込み具本体４を抜き取った。その後、支柱１の透孔１３を利用して柵用ビームの端部を差し込んで固定して、遊歩道柵を組み立てた。
【００３４】
【発明の効果】
以上詳述したように、本発明柵用支柱打ち込み具は、支柱に貫通された透孔に挿通される支持体と、その支柱の外側に被嵌される打ち込み具本体とからなり、打ち込み具本体の下端には上記支持体に嵌合される切り欠き部が形成され、打ち込み具本体の上端は上記支柱より上方に突出されるとともに打撃部が形成されているので、支柱に穿設されている柵体取付用のボルト孔等を利用して支持体を挿通し、支柱に被嵌された打ち込み具本体の下端切り欠き部を支持体に嵌合するだけのため、支柱と打ち込み具本体とを容易に組み立てることができるとともに、打ち込み完了後も支柱から打ち込み具本体をは外すとともに、支持体２を抜き取るだけでよく、解体も容易である。
【００３５】
また、支持体が挿通される支柱の透孔がその支柱の埋設部分に貫通されてなる場合には、打ち込み後の支持体がそのまま根枷として利用することができる。
【００３６】
さらに、支柱上端と打ち込み具本体の打撃部底面との間に間隙が設けられているので、支柱上端に擬宝珠状の装飾等が施されたキャップが設けられている場合にも支柱の打ち込み時にそのキャップが損傷を受けることがない。
【００３７】
さらにまた、打ち込み具本体の下端切り欠き部にその切り欠き部と同形状の切り欠き部を有する補強片が装着されている場合には、打ち込み具本体の打ち込み時に下端切り欠き部の変形が生じがたく、打ち込み具本体を長期間使用することができる。
【００３８】
そしてまた、支柱の側壁に水平方向に貫通された複数の透孔に挿通される複数の支持体と、支柱の上方で支柱の上端より上方に位置する打撃部とが垂直方向の支軸で接続一体化されて打ち込み具本体が形成され、支柱の透孔に挿通された支持体の先端と打撃部の先端に補強体が着脱自在に接続されており、上記複数の支持体が支柱に穿設された透孔に挿通され、挿通された支持体の先端と打撃部の先端に補強体が着脱自在に接続されるので保護筒が不要となり、支柱と打ち込み具との組み立てを容易に行うことができるとともに、打ち込み完了後も支柱から補強体および打ち込み具本体を外すだけでよく、解体も容易である。
【００３９】
なおまた、本発明によれば、透孔が柵用ビームが直接差し込まれる径の大きな変形し易いものであっても、支柱を打ち込む打撃力は支柱に穿設された透孔に差し込まれる支持体を介して前記透孔の下縁に伝えられて、支柱本体の打込先端に直接伝えられるため、透孔が変形してしまうような問題が起こることがない。
【図面の簡単な説明】
【図１】本発明に使用される柵用支柱の一例を示す斜視図である。
【図２】本発明に使用される柵用支柱の他の例を示す正面図である。
【図３】本発明柵用支柱打ち込み具の一例を示す断面図である。
【図４】本発明に使用される打ち込み具本体の二例を示す斜視図である。
【図５】本発明に使用される柵用支柱の別の一例を示す斜視図である。
【図６】本発明柵用支柱打ち込み具の一例を示す組立手順の説明図である。
【図７】本発明柵用支柱打ち込み具の使用状態を示す正面図である。
【符号の説明】
１      柵用支柱
１１    支柱本体
１２    キャップ
１３    ボルト用透孔
１３´  根枷用透孔
１４    栓体
１５    倒れ防止体
２      支持体
３      打ち込み具本体
３１    切り欠き部
３２    打撃部
３３    補強片
３１´  切り欠き部
４      打ち込み具本体
５      支持体
６      打撃部
７      支軸
８      補強体
【図１】
0003996739.tif 000002
【図２】
0003996739.tif 000003
【図３】
0003996739.tif 000004
【図４】
0003996739.tif 000005
【図５】
0003996739.tif 000006
【図６】
0003996739.tif 000007
【図７】
0003996739.tif 000008